(57)【要約】【課題】不使用時にワイパ部材の払拭部が平面に当接したままだと、払拭部が変形してしまうことがある。【解決手段】ワイパ部材を所定の停止位置から往復移動させることにより、ワイパ部材に設けられた凸状の払拭部において保護部材の表面に付着した異物を拭き取るワイパ装置において、ワイパ部材が所定の停止位置にあるとき、払拭部を収納する収納部を有することを特徴とする。【選択図】　図３
2004094021.tif 000002
【特許請求の範囲】
【請求項１】
ワイパ部材を所定の停止位置から往復移動させることにより、前記ワイパ部材に設けられた凸状の払拭部において保護部材の表面に付着した異物を拭き取るワイパ装置において、
前記ワイパ部材が前記所定の停止位置にあるとき、前記払拭部を収納する収納部を有することを特徴とするワイパ装置。
【請求項２】
前記収納部が、前記保護部材の表面に対して凹状に形成されていることを特徴とする請求項１に記載のワイパ装置。
【請求項３】
前記収納部が、前記払拭部を前記保護部材の表面にガイドするテーパ面を有していることを特徴とする請求項１又は２に記載のワイパ装置。
【請求項４】
前記保護部材を装置本体に支持する支持部材を有しており、
前記支持部材が、前記保護部材の表面と略等しい平面内に形成されていることを特徴とする請求項１から３のいずれかに記載のワイパ装置。
【発明の詳細な説明】
【０００１】
【発明の属する技術分野】
本発明は、テレビカメラを搭載するテレビカメラ用ハウジングの保護ガラスに付着した水滴、雪、ゴミ等の異物を除去するワイパ装置に関するものである。
【０００２】
【従来の技術】
従来、テレビカメラが屋外で使用される際には、カメラやレンズはハウジングの中に収納され、ハウジングに設けられた透明窓を通して撮影されるようになっている。このようなハウジングは複数の回転軸を有する雲台装置に搭載され、この中に収容されたカメラの姿勢が自在に変えられるようになっている。
【０００３】
例えば図１に示すように、台座の上には雲台本体が水平方向に回転自在に取り付けられ、雲台本体にはハウジングが雲台本体２に対して垂直方向に回転自在に取り付けられている。ハウジングの中にはテレビカメラが搭載され、ハウジングの前面に設けられた保護ガラスを通して撮影できるようになっている。
【０００４】
保護ガラスには、ワイパが装備され、ワイパの往復運動により保護ガラス上の水滴、雪、塵等を払拭するようになっている。
【０００５】
【発明が解決しようとする課題】
しかしながら、従来のワイパ装置は、保護ガラス上の水滴、雪、ゴミ等を払拭するため、ワイパブレードを保護ガラス面に押し付けられながら往復運動が行われている。
【０００６】
ワイパ動作は、上述したように必要な時に行われ、一般的に停止している時が多く、保護ガラス面にワイパブレードが常に押し付けられた状態ある。このため、ネオプレーン等の弾性部材で作られているワイパブレードが、保護ガラス面に押し当てられた状態で変形してしまうという欠点がある。
【０００７】
本発明は、ワイパ部材を往復移動させてガラスに付着した水滴等を拭き取るワイパ装置であって、上述した課題を解決するためのものである。
【０００８】
すなわち、本発明の第１の目的は、ワイパブレードの変形を極力防止し、ゴミ等が付着することを防止することにある。また、本発明の第２の目的は、ワイパブレードが角部を越える際、ワイパブレードにキズが付くのを防ぐとともに、駆動部の負荷を軽減することにある。
【０００９】
さらに、本発明の第３の目的は、ワイパブレードが保護ガラス面を払拭する際、凹凸部を無くし、隅々済みまできれいにすることにある。
【００１０】
【課題を解決するための手段】
本発明は、ワイパ部材を所定の停止位置から往復移動させることにより、ワイパ部材に設けられた凸状の払拭部において保護部材の表面に付着した異物を拭き取るワイパ装置において、ワイパ部材が所定の停止位置にあるとき、払拭部を収納する収納部を有することを特徴とする。
【００１１】
すなわち、ワイパ部材の払拭部を収納部に収納させることにより、払拭部を平面に当接させたままとすることにより生じる払拭部の変形を防止するようにしている。このように、払拭部の変形を防止することで、払拭部による異物の拭き取りを効率良く行うことができる。
【００１２】
ここで、収納部を、保護部材の表面に対して凹状に形成することができる。
【００１３】
また、収納部に、払拭部を保護部材の表面にガイドするテーパ面を形成することができる。これにより、ワイパ部材の動作をスムーズに行うことができる。
【００１４】
さらに、保護部材を装置本体に支持する支持部材を、保護部材の表面と略等しい平面内に形成することにより、ワイパ部材の拭き取り面を凹凸のない平面にでき、ワイパ部材の異物の拭き取り動作を効率良く行うことができる。
【００１５】
【発明の実施の形態】
本発明の一実施形態であるワイパ装置について、図１〜図３を用いて詳細に説明する。
【００１６】
図１に示すように、台座１の上には、雲台本体２が水平方向（図１中左右方向）の面内において回転自在に取り付けられている。雲台本体２には、ハウジング３が雲台本体２に対して垂直方向（図１中上下方向）の面内において回転自在に取り付けられている。
【００１７】
ハウジング３の中には、図示していないテレビカメラが搭載され、ハウジング３の前面に設けられた保護ガラスを通して撮影できるようになっている。保護ガラスの近傍にはワイパ装置が装備されており、このワイパ装置におけるワイパの往復運動により保護ガラス上の水滴、雪、塵等を払拭するようになっている。
【００１８】
以下、ワイパ装置の具体的構成について、図２〜図３を用いて説明する。
【００１９】
図２は、ハウジング３の正面図である。図中、４はワイパブレードで、支持部材５に取り付けられている。支持部材５は、駆動軸６に回転可能に取り付けられており、支持部材５の回転によりワイパブレード４が保護ガラス７の前面を払拭する。
【００２０】
ここで、４’に示す位置はワイパブレード４の折り返し位置である。
【００２１】
６は駆動軸で、図に示されていないモ−タと、動作範囲を決定する位置センサと共に構成されている。７は保護ガラスで、保護ガラス支持部材８で保持され、取り付けネジ９でハウジング３に固定されている。
【００２２】
１０、１１はワイパブレード４の初期位置から、４’に示す折り返し位置までのワイパブレードの変形の様子を示している。１２はワイパブレード４の逃げ部であり、ワイパブレード４が逃げ部１２に相当する位置にあるときには、ワイパブレード４の先端が逃げ部１２にはまり込み、この先端が変形しないようになっている。
【００２３】
１３は、逃げ部１２のかど部に設けられたテーパ部である。
【００２４】
上述したような構成により、ワイパブレード４の停止位置では、逃げ部１２により、ワイパブレード４の先端が、他の部材との接触が無いため、経時変化が少なく、耐久性の点で有利である。
【００２５】
ワイパブレード４の動作は、図中矢印１４に示すように、４に示す位置から４’に示す位置との間を必要回数、往復する。この時、テーパ部１３により、ワイパブレード４の停止位置から、保護ガラス７を払拭動作する際、負荷変動を極力押さえることができる。また、保護ガラス７の前面、保護ガラス支持部材８と、ハウジング３とは、概略同一面であり、凹凸が無いため、ワイパブレード４の動作がスムースに行われると共に、ワイパブレード４が保護ガラス面を払拭する際、隅々済みまできれいにすることが出来る。
【００２６】
本実施形態では、テレビカメラ用ハウジングのワイパ装置について説明したが、これに限られるものではなく、乗用車等に取り付けられるワイパ装置についても本発明のワイパ装置を適用することができる。
【００２７】
【発明の効果】
本発明によれば、ワイパ部材の払拭部を収納部に収納させることにより、払拭部を平面に当接させたままとすることにより生じる払拭部の変形を防止することができる。このように、払拭部の変形を防止することで、払拭部による異物の拭き取りを効率良く行うことができる。
【００２８】
また、収納部に、払拭部を保護部材の表面にガイドするテーパ面を形成することにより、ワイパ部材の動作をスムーズに行うことができる。
【００２９】
さらに、保護部材を装置本体に支持する支持部材を、保護部材の表面と略等しい平面内に形成することにより、ワイパ部材の拭き取り面を凹凸のない平面にでき、ワイパ部材の異物の拭き取り動作を効率良く行うことができる。
【図面の簡単な説明】
【図１】雲台を説明する図である。
【図２】ワイパ装置の動作を説明する図である。
【図３】ワイパ装置の断面図である。
【符号の説明】
１：台座
２：雲台本体
３：ハウジング
４：ワイパブレード
７：保護ガラス
【図１】
2004094021.tif 000003
【図２】
2004094021.tif 000004
【図３】
2004094021.tif 000005